(57)【特許請求の範囲】
【請求項１】
ワイヤを一定速度で搬送させてゴムを被覆することによりビードワイヤを生成するビードワイヤ生成手段と、
前記ビードワイヤ生成手段で生成されたビードワイヤを所定速度で巻き取る巻取り手段と、
前記ビードワイヤを螺旋状に巻き取る一対のシーブを備え、前記一対のシーブの回転軸を結ぶ線が設置面に対して接近しかつ該設置面に対して略平行となるように前記ビードワイヤ生成手段と前記巻取り手段の間に配設されたフェスツーンと、
前記フェスツーンに備えられた少なくとも一方のシーブを前記設置面に沿って移動させて前記ビードワイヤのストック量を変更する移動手段と、
前記移動手段による少なくとも一方のシーブの移動量を制御する移動量制御手段と、
を有し、
前記移動量制御手段は、前記一対のシーブが他の部材と接触することを防止するシャフトを有することを特徴とするビード製造装置。
【請求項２】
前記移動手段は、前記巻取り手段によってビードワイヤが巻き取られている場合に前記一対のシーブが互いに最接近の位置となるように少なくとも一方のシーブを移動させ、
前記巻取り手段がビードワイヤの巻取りを停止している場合に前記一対のシーブが互いに最離間の位置となるように少なくとも一方のシーブを移動させることを特徴とする請求項１記載のビード製造装置。
【請求項３】
前記移動手段は、前記巻取り手段におけるビードワイヤの巻取り開始時に、前記一対のシーブが互いに最接近の位置となるように少なくとも一方のシーブを移動させ、
前記巻取り手段におけるビードワイヤの巻取り中に、前記一対のシーブが徐々に互いに離間するように少なくとも一方のシーブを移動させ、
前記巻取り手段におけるビードワイヤの巻取り終了時に、前記一対のシーブが互いに最離間の位置となるように少なくとも一方のシーブを移動させることを特徴とする請求項１記載のビード製造装置。
【請求項４】
前記移動手段がモータの駆動力を適用しており、前記移動量制御手段が前記巻取り手段の巻取り状態に基づいて少なくとも一方のシーブの移動量を制御することを特徴とする請求項１乃至請求項３のいずれか１項に記載のビード製造装置。
【請求項５】
前記移動手段がばねの付勢力を適用しており、前記移動量制御手段が前記巻取り手段の巻取り時のビードワイヤの張力に応じて少なくとも一方のシーブの移動量を制御することを特徴とする請求項１乃至請求項３のいずれか１項に記載のビード製造装置。
【請求項６】
前記フェスツーンには複数対のシーブが同一回転軸を介して備えられていることを特徴とする請求項１乃至請求項５のいずれか１項に記載のビード製造装置。
【発明の詳細な説明】
【０００１】
【発明の属する技術分野】
本発明は、ビード製造装置に係り、特にビードワイヤを螺旋状に巻き取る一対のシーブの回転軸を結ぶ線が設置面に対して接近しかつ該設置面に対して略平行となるように一対のシーブが配設されたフェスツーンを備えたビード製造装置に関する。
【０００２】
【従来の技術】
従来、ビードはビード製造装置の巻取り機において主軸を中心として回転するビードホーマのホーマ溝にワイヤにゴムを被覆して生成されたビードワイヤを巻き取ることによって製造されている。製造されたビードは、巻取り機を停止させた後に取り出すようになっている。このとき、ビード製造装置のビードワイヤ生成側におけるワイヤの搬送はゴムの被覆品質を維持するために停止されることがない。このため、巻取り機の停止時にはビードワイヤ生成側と巻取り機との間に配置されたフェスツーンによるビードワイヤのストック量が多くなるように制御している。
【０００３】
フェスツーンには一対のシーブが備えられ、例えば固定シーブと可動シーブがビード製造装置の設置面に対して垂直に配設されて構成されている。なお、可動シーブが設置面側に配設されていると共に、重りが取り付けられておりビードワイヤの張力に応じて移動する。
【０００４】
巻取り機によってビードワイヤが巻き取られている場合には、ビードワイヤの張力が大きいため可動シーブは固定シーブと接近し、ビードワイヤのストック量は少ない。一方、巻取り機が停止している場合、すなわちビードを巻取り機から取り外すためにビードワイヤの一部を切断した場合には、ビードワイヤの張力が小さくなるので重りの作用によって可動シーブが移動（落下）する。これにより、固定シーブと可動シーブの間の距離が長くなり、フェスツーンによるビードワイヤのストック量が多くなる。
【０００５】
このように、ビードワイヤの張力に応じて巻取り機の巻取り状態を判断し、フェスツーンによるビードワイヤのストック量を変更するので、巻取り機からビードを取り外すために巻取り機を停止させた場合にでもビードワイヤ生成側におけるゴムの被覆品質を維持することができる。
【０００６】
【発明が解決しようとする課題】
しかしながら、従来はフェスツーンを構成する固定シーブと可動シーブがビード製造装置の設置面に対して垂直に配設され、かつ可動シーブが設置面側に配設されている。このため、設置面側に可動シーブの移動に必要な空間を備える必要があり、装置の小型化を図ることが困難である、という問題がある。
【０００７】
また、可動シーブは重りによって移動する構成となっている。このため、巻取り機におけるビードワイヤの巻取り速度に応じてフェスツーンにおけるビードワイヤのストック量を調整する場合には、重りを交換して可動シーブの移動量を調整する必要があり、人手を要する。さらに、ビードの製造途中でワイヤ又はビードワイヤが切断された場合等には、重りの作用によって、移動する必要のない時期に可動シーブが移動（落下）する。このため、巻取り機におけるビードワイヤの巻取り速度が乱れ、ビードの製造精度が低下する、という問題がある。
【０００８】
また、ビードを製造する毎に可動シーブの移動量に誤差が生じ、予め定められた可動シーブの移動範囲外に可動シーブが移動することがある。これにより、可動シーブがビード製造装置を構成する他の部材に接触し、ビードの製造が非常停止することがある、という問題がある。
【０００９】
本発明は上記問題点を解消するためになされたもので、装置を小型化しかつビードの製造精度を向上させることができるビード製造装置を提供することを目的とする。
【００１０】
【課題を解決するための手段】
上記目的を達成するために請求項１に記載の発明は、ワイヤを一定速度で搬送させてゴムを被覆することによりビードワイヤを生成するビードワイヤ生成手段と、前記ビードワイヤ生成手段で生成されたビードワイヤを所定速度で巻き取る巻取り手段と、前記ビードワイヤを螺旋状に巻き取る一対のシーブを備え、前記一対のシーブの回転軸を結ぶ線が設置面に対して接近しかつ該設置面に対して略平行となるように前記ビードワイヤ生成手段と前記巻取り手段の間に配設されたフェスツーンと、前記フェスツーンに備えられた少なくとも一方のシーブを前記設置面に沿って移動させて前記ビードワイヤのストック量を変更する移動手段と、前記移動手段による少なくとも一方のシーブの移動量を制御する移動量制御手段と、を有し、前記移動量制御手段は、前記一対のシーブが他の部材と接触することを防止するシャフトを有している。
【００１１】
請求項１に記載の発明によれば、ビード製造装置には、ワイヤにゴムを被覆してビードワイヤを生成するビードワイヤ生成手段が設けられている。このビードワイヤ生成手段は、ワイヤを一定の速度で搬送しながらゴムを被覆し、生成されたビードワイヤを排出する構成となっている。また、ビード製造装置には、ビードワイヤ生成手段で生成されたビードワイヤを巻き取る巻取り手段が設けられている。この巻取り手段は、主軸を中心として回転するビードホーマのホーマ溝にビードワイヤを巻き取ることによってビードを製造する。
【００１２】
さらに、ビードワイヤ生成手段と巻取り手段の間には、ビードワイヤのストック量を変更するフェスツーンが設けられている。フェスツーンは、ビードワイヤを螺旋状に巻き取る一対のシーブを備えている。一対のシーブは、これらのシーブの回転軸を結ぶ線が設置面に接近しかつ略平行となるように配設されている。例えば、設置面が水平面である場合には、一対のシーブは水平に配設される。このように、フェスツーンに備えられた一対のシーブを設置面に接近しかつ略平行に配設することにより、設置面とフェスツーンとの間に空間を設ける必要がないので、装置の小型化を図ることができる。
【００１３】
また、ビード製造装置には、フェスツーンに備えられた一対のシーブの少なくとも一方を移動させる移動手段が設けられている。少なくとも一方のシーブが移動することによってフェスツーンによるビードワイヤのストック量を変更することができる。移動手段による少なくとも一方のシーブの移動量は、移動量制御手段によって制御される。
【００１４】
請求項２に記載の発明は、前記移動手段は、前記巻取り手段によってビードワイヤが巻き取られている場合に前記一対のシーブが互いに最接近の位置となるように少なくとも一方のシーブを移動させ、前記巻取り手段がビードワイヤの巻取りを停止している場合に前記一対のシーブが互いに最離間の位置となるように少なくとも一方のシーブを移動させることを特徴としている。
請求項３に記載の発明は、前記移動手段は、前記巻取り手段におけるビードワイヤの巻取り開始時に、前記一対のシーブが互いに最接近の位置となるように少なくとも一方のシーブを移動させ、前記巻取り手段におけるビードワイヤの巻取り中に、前記一対のシーブが徐々に互いに離間するように少なくとも一方のシーブを移動させ、前記巻取り手段におけるビードワイヤの巻取り終了時に、前記一対のシーブが互いに最離間の位置となるように少なくとも一方のシーブを移動させることを特徴としている。
例えば、移動手段としては請求項４に記載の発明のように、モータの駆動力を適用することができる。モータの駆動力を適用した場合には、移動量制御手段は少なくとも一方のシーブの移動量を巻取り手段におけるビードワイヤの巻取り状態に基づいて制御する。例えば、巻取り手段によってビードワイヤが巻き取られていない場合、すなわち巻取り手段が停止している場合には、一対のシーブの間の距離が長くなるように移動量を制御する。このように、移動手段としてモータの駆動力を適用した場合には、巻取り手段におけるビードワイヤの巻取り速度等に応じた所望の位置に一対のシーブを移動させることができる。このため、一対のシーブの移動量を正確に制御できるので、ビードの製造精度を向上させることができる。
【００１５】
また、請求項５に記載の発明のように、移動手段にばねの付勢力を適用することもできる。この場合には、移動量制御手段は巻取り手段の巻取り時のビードワイヤの張力に応じて少なくとも一方のシーブの移動量を制御する。これにより、フェスツーンの構成を一対のシーブの回転軸を結ぶ線が設置面に対して略平行となるように配設した一対のシーブを備えた構成としても、一対のシーブの少なくとも一方を移動させてビードワイヤのストック量を変更することができる。
【００１６】
請求項６に記載の発明は、前記フェスツーンには複数対のシーブが同一回転軸を介して備えられていることを特徴としている。
【００１７】
請求項６に記載の発明によれば、ビード製造装置に設けられているフェスツーンには複数対のシーブが備えられている。これらの複数対のシーブは同一回転軸に取り付けられている。
【００１８】
このように、フェスツーンに複数対をシーブを備えて多連式構造とすることにより複数のビードを同時に製造することができる。また、複数対のシーブを同一回転軸に取り付けるため、回転軸の回転を指示するモータ等の駆動部の数を変更することなく装置を構成することができる。さらに、複数対のシーブは同一方向に同一速度で回転するため、ビードの製造精度を向上させることができる。
【００１９】
【発明の実施の形態】
図１には、本実施の形態に係るビード製造装置１０が示されている。ビード製造装置１０には、図示しない巻出しリールに巻き取られたワイヤ１２を巻き出すワイヤ巻出し部１４が備えられている。ワイヤ巻出し部１４に対してワイヤ１２の搬送方向下流側には、巻き掛けローラ１６、１８が配設されている。ワイヤ巻出し部１４から排出されたワイヤ１２は、巻き掛けローラ１６、１８に巻き掛けられて所定方向に搬送される。なお、ワイヤ巻出し部１４に設けられた図示しない巻出しリール、及びワイヤ１２の搬送方向に沿って配設された巻き掛けローラ１６、１８はそれぞれ同一速度で回転する。これにより、ワイヤ１２は一定速度で搬送される。
【００２０】
また、ワイヤ巻出し部１４から排出され、巻き掛けローラ１６、１８を介して搬送されるワイヤ１２の搬送方向下流側には、ゴム被覆部２０が配設されている。ゴム被覆部２０は、ワイヤ１２にゴムを被覆することによってビードワイヤ１２Ａを生成する。従って、ゴム被覆部２０からはビードワイヤ１２Ａが排出される。ゴム被覆部２０に対してビードワイヤ１２Ａの搬送方向下流側には、巻き掛けローラ２２が配設されている。これにより、ビードワイヤ１２Ａは巻き掛けローラ２２に巻き掛けられ、所定方向に搬送される。なお、巻き掛けローラ２２の回転速度は前述した巻き掛けローラ１６、１８等と同一速度である。従って、ビードワイヤ１２Ａはワイヤ１２と同一速度で搬送される。
【００２１】
さらに、ビードワイヤ１２Ａの搬送方向下流側には、ビードワイヤ１２Ａを所定量ストックするフェスツーン部２４が設けられている。このフェスツーン部２４は、ビード製造装置１０の設置面に接近した位置に配設されている。フェスツーン部２４は固定シーブ２６と可動シーブ２８から構成されており、回転シャフト５８に沿って可動シーブ２８を移動させることによってビードワイヤ１２Ａのストック量を変更することができるようになっている。なお、フェスツーン部２４の詳細な構成については後述する。
【００２２】
また、フェスツーン部２４に対してビードワイヤ１２Ａの搬送方向下流側にはローラ３０、３２が配設されている。ローラ３０、３２は、前述した巻き掛けローラ１６、１８、２２と同様に、ビードワイヤ１２Ａを巻き掛けて所定方向に搬送する。なお、ローラ３０、３２においても巻き掛けローラ１６、１８、２２と同一速度で回転され、ビードワイヤ１２Ａは一定の速度で搬送される。
【００２３】
さらにビードワイヤ１２Ａの搬送方向下流側には、ビードワイヤ１２Ａを巻き取るビードワイヤ巻取り部３４が設けられている。図４にはビードワイヤ巻取り部３４における巻取り速度特性７０が示されている。図４に示されるように、ビードワイヤ１２Ａの巻取り速度は、ビードワイヤ巻取り部３４における巻取り開始時から徐々に上昇して一定速度に到達し、一定速度で所定時間巻き取られた後、徐々に下降して停止するようになっている。これにより、ビードワイヤ巻取り部３４によってビードワイヤ１２Ａが所定回数巻き取られ、ビードが製造される。製造されたビードは、ビードワイヤ巻取り部３４の巻取りを停止した後にビードワイヤ１２Ａを所定位置（本実施の形態では矢印Ａで示される位置）で切断することによってビードワイヤ巻取り部３４から取り外すようになっている。
【００２４】
ここで、図２を参照してフェスツーン部２４の詳細な構成について説明する。
図２に示されるように、フェスツーン部２４には固定シーブ２６が配設されている。固定シーブ２６は回転軸４０を中心に回転し、回転軸４０は軸接続部３８を介して矩形状のプレート３６の略中心部に取り付けられている。このプレート３６はビード製造装置１０の図示しない内壁に固着されている。また、固定シーブ２６は、２つのローラ２６Ａ、２６Ｂによって構成されている。ローラ２６Ａ、２６Ｂは同一の回転軸４０に取り付けられているため、同一方向に同一速度で回転する。ローラ２６Ａ、２６Ｂは、外周近傍の端面がＶ字状に形成された複数の円盤プレート２７Ａ〜２７Ｈ、２９Ａ〜２９Ｈによって構成されている（図３参照）。ローラ２６Ａ、２６Ｂを構成する円盤プレート２７Ａ〜２７Ｈ、２９Ａ〜２９Ｈの端面がＶ字状に形成されていることにより、固定シーブ２６に螺旋状に巻き掛けられたビードワイヤ１２Ａを確実に保持することができる。
【００２５】
また、固定シーブ２６の回転軸４０が軸接続部３８を介して接続されているプレート３６には、後述する可動シーブ２８と接近する両角に接続プレート４２Ａ、４２Ｂが取り付けられている。この接続プレート４２Ａ、４２Ｂにはシャフト４４Ａ、４４Ｂがそれぞれ配設されている（接続プレート４２Ｂは図３参照）。シャフト４４Ａ、４４Ｂの長手方向は固定シーブ２６の幅方向に対応しており、シャフト４４Ａ、４４Ｂの長手方向の寸法は固定シーブ２６の幅寸法よりも長く形成されている。すなわち、シャフト４４Ａ、４４Ｂの長さは固定シーブ２６の回転軸４０の長さと略等しい。シャフト４４Ａ、４４Ｂが配設されることにより、ビードワイヤ１２Ａの張力が小さくなる（ビードワイヤ１２Ａが弛む）ことによって他の部材と接触し、ビード製造装置１０が非常停止することを防止している。
【００２６】
可動シーブ２８は固定シーブ２６の構成と略同様であり、ローラ２８Ａ、２８Ｂから構成され、回転軸４６を中心に回転する。すなわち、回転軸４６は軸接続部４８を介してプレート５０に接続されており、プレート５０における固定シーブ２６と接近する両角には、接続プレート５２Ａ、５２Ｂを介してシャフト５４Ａ、５４Ｂが配設されている。ローラ２８、２８Ｂの形状等については可動シーブ２６のローラ２６Ａ、２６Ｂと同一構成であるため、図示及び説明を省略する。
【００２７】
なお、本実施の形態では、固定シーブ２６は２つのローラ２６Ａ、２６Ｂから構成され、可動シーブ２８は２つのローラ２８Ａ、２８Ｂから構成されている。このため、固定シーブ２６のローラ２６Ａと可動シーブ２８のローラ２８Ａによるシーブ、及び固定シーブ２６のローラ２６Ｂと可動シーブ２８のローラ２８Ｂによるシーブによってそれぞれビードワイヤ１２Ａを巻き取ることができる。従って、同時に２本のビードワイヤ１２Ａを巻き取ることができる。
【００２８】
可動シーブ２８が取り付けられているプレート５０の裏面、すなわち可動シーブ２８が軸接続部４８を介して取り付けられている面と反対側の面における固定シーブ２６に接近する一端部には、移動ブロック５６が取り付けられている。移動ブロック５６には一対の脚部が形成されている。また、可動シーブ２８の移動方向（図２に示される矢印Ｂ、Ｃ方向）に沿って、すなわちビード製造装置１０の設置面と平行に移動支持軸６０Ａ、６０Ｂが配設されている。移動支持軸６０Ａ、６０Ｂは、ビード製造装置１０の内壁に固定されたブラケット６２Ａ、６２Ｂによってそれぞれ支持されている。移動ブロック５６に形成された一対の脚部の先端部は、移動支持軸６０Ａ、６０Ｂに係合する形状とされている。
【００２９】
さらに、移動ブロック５６には、雄ネジが形成された回転シャフト５８が挿通する雌ネジが形成されたネジ孔６４が形成されている。回転シャフト５８が回転することにより、移動ブロック５６は回転シャフト５８及び移動支持軸６０Ａ、６０Ｂに沿って移動する。すなわち、可動シーブ２８は固定シーブ２６と接近及び離間する方向に移動する。なお、回転シャフト５８は、ビード製造装置１０の設置面及び移動支持軸６０Ａ、６０Ｂと平行に配設されている。
【００３０】
回転シャフト５８の一端は、シャフト係止部６６に回動可能に取り付けられている。回転シャフト５８の他端にはプーリ６８が取り付けられている。回転シャフト５８の近傍には、制御部８４によって駆動が指示されるサーボモータ７２が配設されている。なお、制御部８４は可動シーブ２８の移動量を制御するようになっている。すなわち、サーボモータ７２の駆動時間を制御することによって可動シーブ２８の移動量を制御する。サーボモータ７２の回転軸７４にはプーリ７６が取り付けられている。回転シャフト５８に取り付けられたプーリ６８と、サーボモータ７２の回転軸７４に取り付けられたプーリ７６には、無端ベルト７８が巻き掛けられている。従って、サーボモータ７２の駆動力はプーリ７６、無端ベルト７８、及びプーリ６８を介して回転シャフト５８に伝達される。これにより、回転シャフト５８が所定方向（図２に示される矢印Ｆ、Ｇ方向のいずれか一方）に回転する。回転シャフト５８が矢印Ｆ方向に回転することにより、可動シーブ２８は固定シーブ２６と接近する方向に移動する。一方、回転シャフト５８が矢印Ｇ方向に回転することにより、可動シーブ２８は固定シーブ２６と離間する方向に移動する。なお、本実施の形態においては、可動シーブ２８が最も固定シーブ２６に接近した位置を最接近位置と称し、固定シーブ２６から最も離間した位置を最離間位置を称する。さらに、最接近位置と最離間位置との間が可動シーブ２８の移動範囲である。
【００３１】
また、移動支持軸６０Ａ、６０Ｂを支持するブラケット６２Ａ、６２Ｂは移動支持軸６０Ａ、６０Ｂの両端に相当する位置に平板状の支持部が形成されている。この支持部にはゴムストッパー８０が対向するように取り付けられている。すなわち、移動支持軸６０Ａの支持部のそれぞれに取り付けられたゴムストッパー８０は対向している。ゴムストッパー８０は可動シーブ２８がこの可動シーブ２８の移動範囲の両端まで移動したときにプレート５０が接触することによって生じる衝撃を緩和するために取り付けられている。
【００３２】
次に、本発明の実施の形態の作用を説明する。
ビードワイヤ巻取り部３４にビードワイヤ１２Ａの先端部が保持されると、図４に示される巻取り速度特性７０に基づいてビードワイヤ１２Ａが巻き取られる。ビードワイヤ１２Ａが所定時間（所定回数）巻き取られることによって製造されたビードは、ビードワイヤ巻取り部３４から取り出す。このとき、ビードワイヤ巻取り部３４を駆動する図示しないモータを停止させ、ビードワイヤ１２Ａを所定位置（図１の矢印Ａで示される位置）で切断する。
【００３３】
ビードワイヤ巻取り部３４が停止されると、サーボモータ７２が駆動する。可動シーブ２８は、ビードワイヤ１２Ａの巻取り時には、通常最接近位置に位置している。このため、プーリ７６が矢印Ｅ方向に回転するようにサーボモータ７２を駆動させ、駆動力をプーリ７６、無端ベルト７８及びプーリ６８を介して回転シャフト５８に伝達する。これにより、回転シャフト５８が矢印Ｇ方向に回転し、可動シーブ２８が矢印Ｂ方向に移動する。本実施の形態では、ビードワイヤ巻取り部３４が停止している場合には、可動シーブ２８を最離間位置まで移動させる。このようにして、可動シーブ２８を最離間位置に移動させるとフェスツーン部２４におけるビードワイヤ１２Ａのストック量が多くなる。すなわち、図４のＳ領域（ビードを取り外している時間）では、ビードワイヤストック量特性８２に示されるようにフェスツーン部２４におけるビードワイヤ１２Ａのストック量が増加する。
【００３４】
また、再度ビードワイヤ巻取り部３４におけるビードワイヤ１２Ａの巻取りが開始された場合には、プーリ７６が矢印Ｄ方向に回転するようにサーボモータ７２を駆動させる。これにより、プーリ７６、無端ベルト７８及びプーリ６８を介して伝達される駆動力によって回転シャフト５８が矢印Ｆ方向に回転し、可動シーブ２８が矢印Ｃ方向に移動する。本実施の形態では、ビードワイヤ巻取り部３４におけるビードワイヤ１２Ａの巻取り時には、可動シーブ２８を最接近位置に移動させる。従って、ビードワイヤ巻取り部３４によるビードワイヤ１２Ａの巻取り時には、フェスツーン部２４におけるビードワイヤ１２Ａのストック量は、図４のビードワイヤストック量特性８２に示されるように減少する。
【００３５】
以上のように、ビード製造装置１０のフェスツーン部２４を構成する固定シーブ２６と可動シーブ２８をビード製造装置１０の設置面に対して水平に配設し、可動シーブ２８を水平方向に移動させるので、設置面と可動シーブ２８との間に可動シーブ２８の移動範囲に応じた空間を備える必要がなく装置を小型化することができる。
【００３６】
また、可動シーブ２８をサーボモータ７２による駆動力で移動させるので、ビードワイヤ巻取り部３４における巻取り速度に応じた所望の位置に可動シーブ２８を移動させることができる。これにより、可動シーブ２８の移動量を正確に制御できるので、ビード製造装置１０でビードを連続製造（図４における周期Ｔの繰り返し）した場合に可動シーブ２８の移動誤差を解消し、ビードの製造精度を向上させることができる。また、ビードの製造途中でワイヤ１２又はビードワイヤ１２Ａが切断された場合等にでも可動シーブ２８が移動することがない。
【００３７】
なお、本実施の形態においては、可動シーブ２８をモータの駆動力によって移動させる場合を例として説明したが、これに限定されるものではない。例えば、可動シーブ２８が固定シーブ２６と離間する方向に付勢されるコイルバネ等の弾性部材を可動シーブ２８に接続することによって可動シーブ２８を移動させる構成としてもよい。この場合には、ビードワイヤ１２Ａの張力に応じて移動量を制御する。すなわち、ビードワイヤ巻取り部３４によってビードワイヤ１２Ａが巻き取られているときにはビードワイヤ１２Ａの張力が大きいため、可動シーブ２８は最接近位置に移動され、ビードワイヤ巻取り部３４の停止時にはビードワイヤ１２Ａの張力が小さくなるため可動シーブ２８は最離間位置に移動される。
【００３８】
また、本実施の形態では、フェスツーン部２４に固定シーブ２６と可動シーブ２８を備えた構成である場合を例として説明したが、これに限るものではない。例えば、一対のシーブのそれぞれが接近する方向及び離間する方向に移動する構成としてもよい。
【００３９】
さらに、本実施の形態においては、ビードワイヤ巻取り部３４によってビードワイヤ１２Ａが巻き取られている場合に可動シーブ２８を最接近位置に移動させ、ビードワイヤ巻取り部３４が停止している場合に可動シーブ２８そ最離間位置に移動させる構成である場合を例として説明したが、これに限定されるものではない。例えば、ビードワイヤ巻取り部３４におけるビードワイヤ１２Ａの巻取り開始時に最接近位置に存在する可動シーブ２８がビードワイヤ１２Ａの巻取り中に徐々に固定シーブ２６と離間する方向に移動する構成としてもよい。すなわち、ビードワイヤ１２Ａの巻取りが終了してビードワイヤ巻取り部３４が停止した時点で可動シーブ２８が最離間位置に移動するようにしてもよい。
【００４０】
また、本実施の形態では、フェスツーン部２４の固定シーブ２６及び可動シーブ２８がそれぞれ２つのローラから構成されている場合を例として説明したが、ローラの個数はこれに限るものではない。例えば、図５（Ａ）に示されるように、フェスツーン部２４Ａの固定シーブ２６と可動シーブ２８をｎ個のローラによって構成してもよい。これにより、ｎ本のビードワイヤを同時に巻き取ることができ、ｎ個のビードを同時に製造することができる。なお、固定シーブ２６のローラと可動シーブ２８のローラはそれぞれ同一の回転軸４０、４６に取り付けられ、同一方向に同一速度で回転するため、ビードの製造精度を向上させることができる。さらに、ローラの個数を増加させた場合にでも回転軸の本数が増加することがないので、回転軸を駆動させる駆動部を変更せずに構成することができる。
【００４１】
一方、図５（Ｂ）に示されるように可動シーブ２８を重り９０の作用によって移動させる構成のフェスツーン部２４Ｂでは、ｎ本のビードワイヤを巻き取るためにローラの個数を増加させることによって固定シーブ２６側のローラが取り付けられる回転軸４０の本数も増加する。このため、回転軸４０の回転を指示する駆動部を回転軸の本数に応じて備える必要があり、装置の構成が複雑化する。これに対して、前述したように図５（Ａ）に示されるフェスツーン部２４Ａでは、装置を複雑化することなく構成することができ、小型化を図ることができる。
【００４２】
【発明の効果】
以上説明したように本発明によれば、ビードワイヤをストックするフェスツーンに備えられた一対のシーブを該一対のシーブの回転軸を結ぶ線が設置面と接近しかつ略平行に配設し、一対のシーブの少なくとも一方を移動手段によって移動させるので、装置を小型化できかつビードの製造精度を向上させることができる、という優れた効果を有する。
【００４３】
また、同一回転軸に複数対のシーブを備えることによって、装置の構成を複雑化することなく複数本のビードワイヤを同時に巻き取り、複数のビードを同時に製造することができる、という優れた効果を有する。
【図面の簡単な説明】
【図１】本発明の実施の形態に係るビード製造装置の概略構成及びワイヤ（ビードワイヤ）の搬送経路を示す概略図である。
【図２】ビード製造装置のフェスツーン部の詳細構成を示す斜視図である。
【図３】フェスツーン部に配設された固定シーブ（可動シーブ）の構成を示す端面図である
【図４】ビードワイヤ巻取り部におけるビードワイヤの巻取り速度特性及びフェスツーン部におけるビードワイヤストック量特性を示す特性図である。
【図５】（Ａ）は固定シーブと可動シーブの回転軸を結ぶ線が設置面と平行に配設されている場合にｎ個のローラを備えたフェスツーン部を示す概略斜視図を示しており、（Ｂ）は固定シーブと可動シーブの回転軸を結ぶ線が設置面に対して垂直に配設されている場合にｎ個のローラを備えたフェスツーン部を示す概略斜視図である。
【符号の説明】
１０    ビード製造装置
２０    ゴム被覆部（ビードワイヤ生成手段）
２４    フェスツーン部（フェスツーン）
２６    固定シーブ
２８    可動シーブ
３４    ビードワイヤ巻取り部（巻取り手段）
７２    サーボモータ（移動手段）
８４    制御部（移動量制御手段）
【図１】
0003967804.tif 000002
【図２】
0003967804.tif 000003
【図３】
0003967804.tif 000004
【図４】
0003967804.tif 000005
【図５】
0003967804.tif 000006